(57)【要約】      （修正有）【課題】透明単相有機ガラスの中に複数個の独立気泡を分散させてなる装飾板を得る。【解決手段】装飾板１０は、透明単相有機ガラスＧと独立気泡１１とからなり、前者の中に複数個の独立気泡１１がそれぞれ厚さ方向Ｚに互いに重なることなく、Ｘ，Ｙ軸からなる平面方向にランダムに分散している。さらに、透明単相有機ガラスの厚さ方向のほぼ中央部に仮想的に形成される板状仮想空間内に独立気泡の主要部が存在し、独立気泡の一部の非主要部が板状仮想空間の外側に露出するように独立気泡を分散させる。この装飾板は、第一、第二原材料の間に、有機液状接着剤を含む第三原材料を挟んで圧着した後、第一、第二原材料及び第三原材料を単相化することにより得られる。【選択図】図１
2011051324.tif 000002
【特許請求の範囲】
【請求項１】
透明単相有機ガラス（Ｇ）の中に、複数個の独立気泡（１１）を、それぞれ厚さ方向（Ｚ）に互いに重なることなく、平面方向（Ｘ，Ｙ）にランダム分散させてなる装飾体。
【請求項２】
前記透明単相有機ガラス（Ｇ）の厚さ方向（Ｚ）のほぼ中央部において、所定の厚さをもって有機ガラスの表面又は裏面に添って仮想的に形成される板状仮想空間（１２）中に前記独立気泡の少なくとも主要部を存在させるとともに、前記独立気泡（１１）の一部の非主要部を前記板状仮想空間から外方に露出させてなる請求項１記載の装飾体。
【請求項３】
２枚の透明単相有機ガラスからなる板状の第一、第二原材料（１５，１６）の間に、気泡又は気泡生成物質の入った有機流動性接着剤（１７）からなる流動性の第三原材料、又は空気若しくは気泡を同伴する他の物質と有機流動性接着剤との混合物からなる流動性の第三原材料を挟んで圧着した後、第一、第二原材料及び第三原材料を単相化することにより得られた請求項１又は請求項２の装飾体。
【発明の詳細な説明】
【技術分野】
【０００１】  本発明は、透明単相有機ガラスの中に独立気泡をランダムに分散させた構造の装飾体に関するものである。
【背景技術】
【０００２】  図１１に示すように、表裏側層の板ガラス１、２の間に独立気泡３を分散させた発泡中間層４を挟んだガラス積層体５は、特開平８−２８３０５０号公報により公知である。
【先行技術文献】
【特許文献】
【０００３】
【特許文献１】特開８−２８３０５０号公報
【発明の概要】
【発明が解決しようとする課題】
【０００４】  この種のガラス積層体５を、独立気泡３に起因する美観を誘発する装飾体に使用してみると、発泡中間層４の独立気泡３を包囲する包囲層６が透明でない限り、その装飾体は美観効果を殆ど発揮し得ない。なぜならば、前記包囲層６が独立気泡３の美的外観を引き立てることをしないばかりか、裏面側板ガラス２の透明性まで減殺するからである。【０００５】  そこで、本発明者等は、透明な表裏面側板ガラス１、２の間に存在する独立気泡３の美的外観を引き立てる構造のガラス積層体５を製作して、そのガラス積層体５を装飾体にできないか、鋭意、研究を重ねてきたところ、前記表裏面側板ガラス１、２及び前記包囲層６の全てを透明にするとともに、それらの光学特性も実質上同一である単相のガラス積層体５を製造し、さらに、前記ガラス積層体５の中に前記独立気泡３を特定の状態に分散させることにより、そのガラス積層体５を表面又は裏面側から見た場合、そのガラス積層体５が、あたかも空気が給送されている水槽の透明なガラス壁を通じて、下方から上昇する空気泡を見ているかのような錯覚を醸し出すという事実、並びに、そのガラス積層体５の端面側から表裏面に平行かつ周囲よりも明るい光を照射してみると、前記独立気泡に入射した光が独立気泡を構成するガラスの凹面で反射して、独立気泡の存在を際立たせるという事実を見出し、本発明を完成した。【０００６】  従って、本発明の課題は、透明単相有機ガラスの中に複数個の独立気泡を特定の状態で分散させてなる装飾体を提供することにある。
【課題を解決するための手段】
【０００７】  本発明は、前記の課題を解決するために、透明単相有機ガラスの中に複数個の独立気泡を、それぞれ厚さ方向に互いに重なることなく、平面方向にランダム分散させてなる構造の装飾体とする。【０００８】  なお、本発明において「独立気泡」とは、所定の範囲において、種々の直径をもって大きさが変化した球形又は長径及び短径をもって大きさが変化した楕円球の気泡を意味する。また、本発明において、後述するように２枚の透明単相有機ガラスからなる第一、第二原材料との間に、流動性を有する第三原材料を圧着して得られるので、「透明単相」とは、前記三つの原材料の境界面が消失して、最終的に得られた有機ガラスが透明無着色又は透明着色の単一相になっているという意味である。さらに、「有機ガラス」とは、アクリル樹脂、特にポリメチルメタクリレート樹脂又はそれを主成分とする共重合体樹脂で代表されるように、透明性のある有機重合体からなるガラスを意味する。従って、板ガラスの製造過程で高温熱処理が必要な無機ガラスは、本発明の対象にはならない。また、本発明において「厚さ方向」とは、前記三つの原材料が圧着された方向を意味し、「平面方向」とは、前記第一、第二原材料の表裏面方向を意味する。【０００９】  このように構成される装飾体は、透明な単相の有機ガラスとその中に分散する独立気泡とからなるとともに、複数個の独立気泡がそれぞれ厚さ方向に互いに重なることなく平面方向に分散している。そのため、本発明に係る装飾体を、その表裏面から独立気泡をみると、それらの独立気泡の全部が透明水槽の中に吹き込まれた空気泡のように映えて見える。【００１０】  さらに本発明は、前記の課題をより効率的に具体化するために、透明単相有機ガラスの中に、複数個の独立気泡を、それぞれ厚さ方向に互いに重なることなく、平面方向にランダム分散させるとともに、透明単相有機ガラスの厚さ方向のほぼ中央部に所定の厚さをもって透明単相有機ガラスの表面又は裏面に添って仮想的に形成される板状仮想空間の中に前記独立気泡の少なくとも主要部を存在させるとともに、前記独立気泡の一部の非主要部を前記板状仮想空間から外方に部分的に露出させた構造の装飾体とする。【００１１】  すなわち、本発明に係る独立気泡は、透明単相有機ガラスの中で仮想的に形成した所定厚さの板状仮想空間の平面方向にランダムに分散しているが、厚さ方向においてはその中心面に集まってきており、前記独立気泡の少なくとも主要部が板状仮想空間の中に存在し、前記独立気泡の一部の非主要部で、その中心から外方にある部分が前記板状仮想空間から外方に露出しているのである。板状仮想空間から独立気泡の一部の非主要部が露出した独立気泡に有機板ガラスの端面側からその独立気泡に光を照射させたとき、その独立気泡を構成するガラスの凹面で入射光が反射し、その結果、独立気泡の存在を際立たせるという効果を発揮する。なお、ここで、「板状仮想空間」とは透明単相有機ガラスを装飾体にしたとき、その装飾体の表面側にもっとも近寄っている独立気泡と裏面側にもっとも近寄っている独立気泡のそれぞれの中心を通る仮想平面間の空間を意味する。この空間において仮想平面間の区画する四面については、装飾体内で独立気泡の��布が途切れる仮想面を想定してもよい。独立気泡が装飾体の厚さ方向にどのように分布しているかを論ずる場合には、仮想平面間の包囲する四面を重視する必要はない。【００１２】  上記の構造を有し、上記の作用・効果を発揮する本発明に係る透明単相有機ガラスは、２枚の透明単相有機ガラスからなる板状の第一、第二原材料の間に、気泡又は気泡生成物質の入った有機流動性接着剤からなる流動性の第三原材料、又は空気若しくは気泡を同伴する他の物質と有機流動性接着剤との混合物からなる流動性の第三原材料を挟んで圧着した後、第一、第二原材料及び第三原材料を単相化することにより初めて得られる。
【発明の効果】
【００１３】  本発明に係る透明単相有機ガラスを装飾体にすると、その装飾体を表裏面側から見た場合、その装飾体は、あたかも空気が給送されている水槽の透明なガラス壁を通じて下方から上昇する空気泡を見ているかのような錯覚を醸し出して装飾体の美観を向上させる。特に装飾体の端面側から、例えば、ＬＥＤ発光灯等の照明光を照射すると、その美観は一層強調され、装飾的価値がより向上する。
【図面の簡単な説明】
【００１４】
【図１】本発明に係る透明単相有機ガラスの一態様を示す正面図である。
【図２】同じく断面図である。
【図３】本発明に係る透明単相有機ガラスの要部断面図である。
【図４】同じく要部部分破断斜視図である。
【図５】本発明に係る透明単相有機ガラスの一製造の初期段階を示す工程図である。
【図６】同じく中間段階を示す工程である。
【図７】同じく後期段階を示す工程である。
【図８】前記後期段階における発泡中間層の挙動を示す概念図である。
【図９】本発明の作用・効果を説明する概念図である。
【図１０】本発明に係る透明単相有機板ガラスの他の態様を示す斜視図である。
【図１１】従来技術に係るガラス積層体の断面図である。
【発明を実施するための形態】
【００１５】  次に、図面を参照しながら、本発明の実施形態について、詳述する。図１及び図２に示すように、本発明に係る装飾体１０は、透明単相の有機ガラスＧと、その中に、複数個、独立して存在する独立気泡１１とからなっている。そして各独立気泡１１は厚さ方向Ｚに互いに重なることなく、平面方向、すなわち横軸Ｘと縦軸Ｙとからなる二次元面に添って面状かつランダムに分散している。
【００１６】  また、独立気泡１１はほぼ球状乃至は楕円球状をなすとともに、その半径も不揃いであるが、極端に大きなものや小さなものがなく、殆ど半径０．５〜３ｍｍ、好ましくは１〜２ｍｍの範囲にある。
【００１７】  しかしながら、本発明に係る装飾体１０に含まれる独立気泡１１は、図３及に示すように、厚さ方向Ｚに互いに重なるように分散していない。そして、所定の広さの装飾体１０においてその表面１３側にもっとも近寄っている独立気泡１１ａの中心Ｃ１を通る仮想平面Ａ１と、裏面１４側にもっとも近寄っている独立気泡１１ｂの中心Ｃ２を通る仮想平面Ａ２を基準に仮想的に決められる板状仮想空間１２内に全ての独立気泡１１の主要部が存在する。従って、独立気泡１１のうち、全体が前記仮想空間１２内に存在する場合と、その中心が前記仮想空間１２内に存在し、すなわち主要部が仮想空間１２内に存在するが、主要部の残りの部分である非主要部が仮想空間１２の外側に露出している場合とがある。
【００１８】  そのため、図４に示すように、二つの前記仮想平面Ａ１、Ａ２の中心Ｃを通る中心面Ａに対して、矢印αの向きに視線を向けて前記仮想空間１２内の独立気泡１１をみると、視覚に飛び込んでくる前方の独立気泡１１の全貌は視認されるが、その後方に位置する全ての独立気泡１１の主要部は視認されるとは限らない。前方の独立気泡１１の直径が大きい場合において、後方の独立気泡１１の直径が比較的小さいときは、後方の独立気泡１１は完全に見えなくなるし、逆に前方の独立気泡１１の直径が小さい場合において、後方の独立気泡１１の直径が比較的大きいときは、後方の独立気泡１１の主要部又はその非主要部が視認されるとともに、非主要部が前記仮想空間１２の外側に露出している独立気泡１１においては、それが際立って視認される。
【００１９】  次に視線方向を変えて、図４に示す矢印αの向きより下方向きの矢印βに示す俯角的な視線をもって前記仮想空間１２を見ると、同図から明白なとおり、独立気泡１１の殆どを視認することができる。同様に矢印αの向きより上方向きの矢印γに示す仰角的な視線をもって前記仮想空間１２を見ると、独立気泡１１の殆どを視認することができる。言い換えれば、本発明に係る装飾体１０において独立気泡１１をマクロ的に見ると、ほぼ中心面Ａ上又はそれに近接して分散しており、ミクロ的に見ると、独立気泡１１は厚さ方向Ｚに所定の範囲をもって揺らぎながら分散しているのである。
【００２０】  このような構造を有する装飾体１０は、例えば、次の工程を経て製造される。まず、図５に示すように、透明な有機板ガラスからなる板状の第一原材料１５と、第二原材料１６と、有機流動性接着剤又はこれを主成分とする第三原材料１７とを用意する。
【００２１】  前記流動性接着剤としては、第一、第二原材料１５、１６と化学的性質が似ていて、それらと接触させると、第一原材料１５と第二原材料１６とを接合するとともに、それらと反応してそれ自体が有機ガラスになる接着剤が使用される。流動性接着剤は、気泡又は気泡生成物質を含んでいる単一化合物の形態で使用できるし、空気又は気泡を同伴する他の物質と混合した形態でも使用できる。さらに流動性接着剤がその使用時に気泡を含んでいない場合、その使用時に気泡を生成させる方法として、加熱エネルギー、機械的エネルギー又は放射線エネルギー等を第三原材料に付与する方法が採用される。その他、流動性接着剤に気泡を安定化させる気泡安定剤や流動性接着剤自体を増量させる増量剤等を併用することができる。
【００２２】  次に、第一原材料１５の表面に第三原材料１７を載せ、図６に示すように、その上から第二原材料１６を介して第三原材料１７に圧力Ｐ１をかけて、第三原材料１７を延展する。さらに、図７に示すように、第二原材料１４に均圧Ｐ２をかけて第一、第二及び第三原材料を一体化した積層体１８を作る。
【００２３】  このようにして得られた積層体１８を所定の雰囲気下で所定時間おいて熟成させると、図８に示すように、第三原材料１７は、第一原材料１５及び第二原材料１６と一体化するとともに、第一原材料１５及び第二原材料１６と接触する接触領域Ｂ１、Ｂ２において、それら原材料１５、１６を矢印ａに示すようにアタックして、前記接触領域Ｂ１、Ｂ２を消失させる。その結果、第三原材料１７自体が透明になり、三つの原材料１５、１７、１６が単相化して、透明単相有機ガラスＧになる。
【００２４】  また、このようにして得られた透明単相有機ガラスＧは、その過程において、図７に示したように、第二原材料１６に均圧Ｐ２をかけているので、第三原材料１７中に発生した独立気泡１１は、第三原材料１７の中央部分に集まる。また第二原材料１６に均圧Ｐ２をかける過程及び独立気泡１１が第三原材料１７の中央部分に集まる過程で、それまで第三原材料１７中に存在していた多数の独立気泡１１のうち、近接する独立気泡１１同士は合体したり一方の独立気泡が消失したりして、最終的に板状仮想空間１２の中に独立した気泡、すなわち、独立気泡１１が存在することになる。
【００２５】  このようにして第三原材料１７中の全ての気泡は、前記中心面Ａに集まろうとするが、その存在位置によっては、中心面Ａに到達せず、その近くに落ち着く気泡も当然存在する。そのため、得られた独立気泡１１は、図３に示すように、透明単相有機ガラスＧの厚さ方向Ｚのほぼ中央部において、所定の厚さをもって前記有機ガラスの表面又は裏面に添って仮想的に形成される板状仮想空間１２中に前記独立気泡の少なくとも主要部が存在し、前記独立気泡１１の一部の非主要部が前記板状仮想空間１２から外方に露出するように存在するのである。
【００２６】  本発明においては、独立気泡１１は、まず、第三原材料１７が第一原材料１５及び第二原材料１６と接触して初期段階に形成される二つの接触領域Ｂ１及び接触領域Ｂ２との間に存在する。次に独立気泡１１の主要部は、前記板状仮想空間１２を構成する仮想平面Ａ１、Ａ２間に存在する。なお、測定結果によると、仮想平面Ａ１、Ａ２間の距離ｄ１は、０．５〜１．５ｍｍ、好ましくは０．９〜１．１ｍｍである。従って、仮想平面Ａ１又は仮想平面Ａ２と中心面Ａとの間の距離ｄ２は０．２５〜０．７５ｍｍ、好ましくは０．４５〜０．５５ｍｍとなる。
【００２７】  次にこのようにして得られた透明単層有機ガラスＧを所定の大きさに切断して装飾体１０にすると、その装飾体１０は、図１〜図４に示すように、複数個の独立気泡１１がそれぞれ厚さ方向Ｚに互いに重なることなく、平面のＸ、Ｙ軸方向にランダム分散する。そのため、図９に示すように、装飾体１０の表裏面に対して垂直な方向、すなわち、厚さ方向Ｚに視線Ｒ１を向けると、独立気泡１１の周囲は全て単相にして透明であるため、独立気泡１１は、透明な水槽の中に吹き込まれた気泡が上昇しているかの錯覚を醸し出す。特に、独立気泡１１に入射した光が独立気泡１１の外面で形成された透明単相有機ガラスＧの凹面で屈曲して独立気泡１１の外観を引き立てる効果を発揮する。
【００２８】  また、装飾体１０の端面側からＬＥＤ光等の照明光を前記端面に対して照射すると、前記板状仮想空間１２には、図３に示したように、独立気泡１１によってはその主要部以外の部分である非主要部が板状仮想空間１２の外方に露出しているので、図９に示したように、最初に受光した独立気泡１１の外面で形成された有機板ガラスＧの凹面で照射光が矢印Ｒ２に示すように屈曲して、前記のように独立気泡１１の存在を引き立たせる。
【００２９】  一方、独立気泡１１の背後、すなわち照射光の下流側に位置する下流側独立気泡１１は、前者の独立気泡１１の外方に突出している非主要部で受光して、下流側独立気泡１１の存在を際立たせる。従って、透明単相有機ガラスＧにおける独立気泡１１の数や大きさを適度に制御することにより、この効果を強調することができる。例えば、図１０に示すように、独立気泡１１の直径を比較的大きくするとともに、個数を少なめにする態様を採用して、独立気泡１１に水滴のような外観を発揮させることができ、装飾体１０を見た人に涼しさを感じさせる。
【００３０】  なお、このような態様及び広い透明単相有機ガラスＧからより狭い透明単相有機ガラスを切り出して装飾体１０にした態様において、透明単相有機ガラスＧの表面１３側にもっとも近寄っている独立気泡１１ａと、裏面１４側にもっとも近寄っている独立気泡１１ｂの個数が少なくなり、その結果、その板状仮想空間１２の大きさは、独立気泡１１の個数を無限大にした透明単相有機ガラスＧの板状仮想空間１２の大きさと相違することになるが、本発明においては、透明単相有機ガラスＧを装飾体１０にした態様において仮想的に決定される板状仮想空間１２を基準として独立気泡１１の分散状態を規定するものである。
【産業上の利用可能性】
【００３１】  本発明は、透明単相有機ガラスを使用する装飾体の分野、例えばテーブルの表面ガラスや室内装飾、特に光源を使用する装飾の分野に広く利用できる。
【符号の説明】
【００３２】１：表面側板ガラス
２：裏面側板ガラス
３：独立気泡
４：発泡中間層
５：ガラス積層体
６：包囲層
１０：装飾体
１１：独立気泡
１２：板状仮想空間
１３：表面
１４：裏面
１５：第一原材料
１６：第二原材料
１７：第三原材料
１８：積層体
Ａ：中心面
Ｂ１、Ｂ２：接触領域
Ｄ：厚さ
Ｇ：透明単相有機ガラス
Ｐ１：圧力
Ｐ２：均圧
Ｘ：横軸
Ｙ：縦軸
Ｚ：厚さ方向。
【図１】
2011051324.tif 000003
【図２】
2011051324.tif 000004
【図３】
2011051324.tif 000005
【図４】
2011051324.tif 000006
【図５】
2011051324.tif 000007
【図６】
2011051324.tif 000008
【図７】
2011051324.tif 000009
【図８】
2011051324.tif 000010
【図９】
2011051324.tif 000011
【図１０】
2011051324.tif 000012
【図１１】
2011051324.tif 000013